【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
予測符号化によるフレーム間圧縮を用いて圧縮符号化されたビデオデータの、フレームの表示順で指定される第１の区間を復号化するために必要な、フレームの符号化順による第２の区間を検出する復号化区間検出部と、
上記復号化区間検出部で検出された上記第２の区間のビデオデータを格納するファイルを作成するファイル作成部と
を有し、
上記ファイル作成部は、上記第１の区間をフレームの表示順で示す情報を上記ファイルに付加するようにした
ことを特徴とするデータ処理装置。
【請求項２】
請求項１に記載のデータ処理装置において、
上記ファイル作成部は、上記第１の区間を示す情報を、上記ファイルのヘッダ部に格納するようにした
ことを特徴とするデータ処理装置。
【請求項３】
請求項１に記載のデータ処理装置において、
上記ビデオデータは、該ビデオデータを構成する各フレームの該ビデオデータ内での位置を示す第１の位置情報が少なくとも記述されるテーブルを備え、
上記ファイル作成部は、上記復号化区間検出部で検出された上記第２の区間に応じて上記第１の位置情報を書き換えた上記テーブルを、上記ファイルに格納するようにした
ことを特徴とするデータ処理装置。
【請求項４】
請求項３に記載のデータ処理装置において、
上記テーブルは、該テーブルの上記ビデオデータ内での位置を示す第２の位置情報がさらに記述され、
上記ファイル作成部は、上記復号化検出部で検出された上第２の記区間に応じて上記第２の位置情報を書き換えた上記テーブルを、上記ファイルに格納するようにした
ことを特徴とするデータ処理装置。
【請求項５】
請求項１に記載のデータ処理装置において、
上記ビデオデータは、独立的にデコード可能な少なくとも１枚の第１のタイプのフレームと、時間的に前および／または後の他のフレームを基準としてデコードされる１または複数の第２のタイプのフレームとからなり、独立的にアクセス可能とされたグループを単位として符号化され、
上記ファイル作成部は、上記復号化区間検出部で検出された上記第２の区間を含む上記グループ単位で上記ビデオデータを上記ファイルに格納するようにした
ことを特徴とするデータ処理装置。
【請求項６】
請求項１に記載のデータ処理装置において、
上記復号化区間検出部は、上記第１の区間の端のフレームの予測符号化のタイプに基づき上記第２の区間を検出するようにした
ことを特徴とするデータ処理装置。
【請求項７】
請求項６に記載のデータ処理装置において、
上記ビデオデータは、独立的にデコード可能な少なくとも１枚の第１のタイプのフレームと、時間的に前および／または後の他のフレームを基準としてデコードされる１または複数の第２のタイプのフレームとからなり、独立的にアクセス可能とされたグループを単位として符号化され、
上記復号化区間検出部は、さらに、上記グループが該グループの１つ前の上記グループのフレームを用いて符号化されたか否かに基づき上記第２の区間を検出するようにした
ことを特徴とするデータ処理装置。
【請求項８】
予測符号化によるフレーム間圧縮を用いて圧縮符号化されたビデオデータの、フレームの表示順で指定される第１の区間を復号化するために必要な、フレームの符号化順による第２の区間を検出する復号化区間検出のステップと、
上記復号化区間検出のステップで検出された上記第２の区間のビデオデータを格納するファイルを作成するファイル作成のステップと
を有し、
上記ファイル作成のステップは、上記第１の区間をフレームの表示順で示す情報を上記ファイルに付加するようにした
ことを特徴とするデータ処理方法。
【請求項９】
予測符号化によるフレーム間圧縮を用いて圧縮符号化されたビデオデータの、フレームの表示順で指定される第１の区間を復号化するために必要な、フレームの符号化順による第２の区間を検出する復号化区間検出のステップと、
上記復号化区間検出のステップで検出された上記第２の区間のビデオデータを格納するファイルを作成するファイル作成のステップと
を有し、
上記ファイル作成のステップは、上記第１の区間をフレームの表示順で示す情報を上記ファイルに付加する
ようにしたデータ処理方法を、コンピュータ装置に実行させる
ことを特徴とするデータ処理プログラム。
【請求項１０】
予測符号化によるフレーム間圧縮を用いて圧縮符号化されたビデオデータの、フレームの表示順で指定される第１の区間を復号化するために必要な、フレームの符号化順による第２の区間のビデオデータと、
上記第１の区間をフレームの表示順で示す情報と
が少なくとも含まれる
ことを特徴とするデータ構造。
【請求項１１】
請求項１０に記載のデータ構造において、
上記ビデオデータを構成する各フレームの該ビデオデータ内での位置を示す第１の位置情報が少なくとも記述されるテーブルをさらに含む
ことを特徴とするデータ構造。
【請求項１２】
請求項１１に記載のデータ構造において、
上記テーブルは、該テーブルの上記ビデオデータ内での位置を示す第２の位置情報がさらに記述される
ことを特徴とするデータ構造。
【請求項１３】
請求項１０に記載のデータ構造において、
上記ビデオデータは、独立的にデコード可能な少なくとも１枚の第１のタイプのフレームと、時間的に前および／または後の他のフレームを基準としてデコードされる１または複数の第２のタイプのフレームとからなり、独立的にアクセス可能とされたグループを単位として符号化され、
上記第２の区間を含む上記グループ単位で上記ビデオデータを含む
ようにした
ことを特徴とするデータ構造。
【請求項１４】
予測符号化によるフレーム間圧縮を用いて圧縮符号化されたビデオデータの、フレームの表示順で指定される第１の区間を復号化するために必要な、フレームの符号化順による第２の区間のビデオデータと、
上記第１の区間をフレームの表示順で示す情報と
が少なくとも含まれるデータ構造を有するファイルが記録された
ことを特徴とする記録媒体。
【請求項１５】
請求項１４に記載の記録媒体において、
上記第１の区間を示す情報が上記ファイルのヘッダ部に格納される
ことを特徴とする記録媒体。
【請求項１６】
請求項１４に記載の記録媒体において、
上記ファイルは、上記ビデオデータを構成する各フレームの該ビデオデータ内での位置を示す第１の位置情報が少なくとも記述されるテーブルをさらに含む
ことを特徴とする記録媒体。
【請求項１７】
請求項１４に記載の記録媒体において、
上記ビデオデータは、独立的に復号化可能な少なくとも１枚の第１のタイプのフレームと、時間的に前および／または後の他のフレームを基準としてデコードされる１または複数の第２のタイプのフレームとからなり、独立的にアクセス可能とされたグループを単位として符号化され、
上記ファイルは、上記第２の区間を含む上記グループ単位で上記ビデオデータを含むようにした
ことを特徴とする記録媒体。
【請求項１８】
記録媒体に記録された、予測符号化によるフレーム圧縮を用いて圧縮符号化されたビデオデータを再生する再生装置において、
記録媒体からデータを再生する再生部と、
上記再生部で再生されたビデオデータを復号化する復号化部と、
上記復号化部で復号化された上記ビデオデータの出力をフレーム単位で制御する出力制御部と
を有し、
記録媒体に記録された、予測符号化によるフレーム間圧縮を用いて圧縮符号化されたビデオデータの、フレームの表示順で指定される第１の区間を復号化するために必要な、フレームの符号化順による第２の区間のビデオデータと、上記第１の区間をフレームの表示順で示す情報とが少なくとも含まれるデータ構造を備えるファイルを上記再生部で再生し、再生されたファイルに含まれる上記ビデオデータを上記復号化部で復号化する際に、
上記出力制御部は、上記ファイルに含まれる上記第１の区間をフレームの表示順で示す情報に基づき、該第１の区間の先頭のフレームから上記ビデオデータを出力するように制御するようにした
ことを特徴とする再生装置。
【請求項１９】
記録媒体に記録された、予測符号化によるフレーム圧縮を用いて圧縮符号化されたビデオデータを再生する再生方法において、
記録媒体からデータを再生する再生のステップと、
上記再生のステップにより再生されたビデオデータを復号化する復号化のステップと、
上記復号化のステップで復号化された上記ビデオデータの出力をフレーム単位で制御する出力制御のステップと
を有し、
記録媒体に記録された、予測符号化によるフレーム間圧縮を用いて圧縮符号化されたビデオデータの、フレームの表示順で指定される第１の区間を復号化するために必要な、フレームの符号化順による第２の区間のビデオデータと、上記第１の区間をフレームの表示順で示す情報とが少なくとも含まれるデータ構造を備えるファイルを上記再生のステップにより再生し、再生されたファイルに含まれる上記ビデオデータを上記復号化のステップにより復号化する際に、
上記出力制御のステップは、上記ファイルに含まれる上記第１の区間をフレームの表示順で示す情報に基づき、該第１の区間の先頭のフレームから上記ビデオデータを出力するように制御するようにした
ことを特徴とする再生方法。
【請求項２０】
記録媒体に記録された、予測符号化によるフレーム圧縮を用いて圧縮符号化されたビデオデータを再生する再生方法をコンピュータ装置に実行させる再生プログラムにおいて、
上記再生方法は、
記録媒体からデータを再生する再生のステップと、
上記再生のステップにより再生されたビデオデータを復号化する復号化のステップと、
上記復号化のステップで復号化された上記ビデオデータの出力をフレーム単位で制御する出力制御のステップと
を有し、
記録媒体に記録された、予測符号化によるフレーム間圧縮を用いて圧縮符号化されたビデオデータの、フレームの表示順で指定される第１の区間を復号化するために必要な、フレームの符号化順による第２の区間のビデオデータと、上記第１の区間をフレームの表示順で示す情報とが少なくとも含まれるデータ構造を備えるファイルを上記再生のステップにより再生し、再生されたファイルに含まれる上記ビデオデータを上記復号化のステップにより復号化する際に、
上記出力制御のステップは、上記ファイルに含まれる上記第１の区間をフレームの表示順で示す情報に基づき、該第１の区間の先頭のフレームから上記ビデオデータを出力するように制御するようにした
ことを特徴とする再生プログラム。